(57)【要約】
【課題】　磁気ヘッドを搭載した台板をベース板との間に間隔を隔てて弾性体を介して支持し、調整ビスを回転させることによって磁気ヘッドの高さを調整するようになっている磁気ヘッド装置において、部品点数を削減し、併せて組立て工程を簡略化する。
【解決手段】　ベース板１を合成樹脂成形体で形成し、そのベース板１に、弾性体としての樹脂ばね３を一体成形する。樹脂ばね３は、ベース板に両端を連設した細長矩形の板ばね部３１と板ばね部３１の長手方向中央部から突出した突起部３２とでなり、突起部３２の頂部３３で台板５を支持させる。磁気ヘッド８の高さを適正に調整したときの調整ビス９の締付け荷重を受けて撓んだ板ばね部３１の弾性復帰力によって突起部９が台板５に弾接してその台板５を支持する。
【選択図】　　　　図２
0003099278.tif 000002
【実用新案登録請求の範囲】
【請求項１】
ヘッド素子を内蔵した磁気ヘッドが、ベース板との間に間隔を隔てて弾性体を介して支持された台板に搭載されていて、その台板に開設された貫通孔に挿通されて上記ベース板の孔部にねじ込まれた調整ビスを回転させることによって上記磁気ヘッドの高さが調整される磁気ヘッド装置において、
　上記磁気ヘッドが、音声信号消去用ヘッド素子と、音声信号記録再生用ヘッド素子と、コントロール信号記録再生用ヘッド素子とを備えており、
　シャーシに取り付けられた上記ベース板が合成樹脂成形体で形成されている共に、上記弾性体が、そのベース板に一体成形した樹脂ばねによって形成され、この樹脂ばねが、上記ベース板に長手方向両端が連設された細長矩形の板ばね部とこの板ばね部の長手方向中央部から突出してその球面状の頂部で上記台板を支持する突起部とでなり、
　上記磁気ヘッドの高さが適正に調整されているときの上記調整ビスの締付け荷重を受けて撓んだ上記樹脂ばねの板ばね部の弾性復帰力によって上記突起部が上記台板に弾接してその台板を支持していると共に、上記調整ビスが、上記樹脂ばねの板ばね部の周囲の３箇所に配備されていて、それら３箇所の調整ビスによって囲まれる領域の中央部に上記突起部が配備されていることを特徴とする磁気ヘッド装置。
【請求項２】
ヘッド素子を内蔵した磁気ヘッドが、ベース板との間に間隔を隔てて弾性体を介して支持された台板に搭載されていて、その台板に開設された貫通孔に挿通されて上記ベース板の孔部にねじ込まれた調整ビスを回転させることによって上記磁気ヘッドの高さが調整される磁気ヘッド装置において、
　上記ベース板を合成樹脂成形体で形成すると共に、上記弾性体を、そのベース板に一体成形した樹脂ばねによって形成したことを特徴とする磁気ヘッド装置。
【請求項３】
上記樹脂ばねが、上記ベース板に両端が連設された板ばね部とこの板ばね部から突出してその頂部で上記台板を支持する突起部とでなる請求項２に記載した磁気ヘッド装置。
【請求項４】
上記板ばね部が細長矩形に形成されてその長手方向両端が上記ベース板に連設されており、上記磁気ヘッドの高さが適正に調整されているときの上記調整ビスの締付け荷重を受けて撓んだ上記樹脂ばねの板ばね部の弾性復帰力によって上記突起部が上記台板に弾接してその台板を支持している請求項３に記載した磁気ヘッド装置。
【請求項５】
上記調整ビスが、上記樹脂ばねの板ばね部の周囲の３箇所に配備されていて、それら３箇所の調整ビスによって囲まれる領域の中央部に上記突起部が配備されている請求項４に記載した磁気ヘッド装置。
【考案の詳細な説明】
【技術分野】
【０００１】
　本考案は磁気ヘッド装置、詳しくは、磁気テープの音声信号を消去記録再生したり、磁気テープのコントロール信号を記録再生したりすることに用いられる磁気ヘッド装置に関する。
【背景技術】
【０００２】
　図４はこの種の磁気ヘッド装置の使用例である磁気テープ装置の要部を示している。同図に示した磁気ヘッド装置Ａは、板金製のベース板１とこのベース板１に図示していない弾性体を介して支持された板金製の台板５とを有し、台板５に磁気ヘッド８が搭載されている。そして、台板５の３箇所に開設された貫通孔のそれぞれに挿通された調整ビス９が、ベース板１の３箇所の孔部のそれぞれにねじ込まれていて、それらの調整ビス９を個々に正逆方向に回転させることによって磁気ヘッド８の高さを適正高さに調整することができるようになっている。また、磁気ヘッド８は、音声信号消去用ヘッド素子を内蔵する第１磁気ヘッドユニット８１と、音声信号記録再生用ヘッド素子及びコントロール信号記録再生用ヘッド素子を内蔵する第２磁気ヘッドユニット８２とを組み合わせて構成されている。
【０００３】
　この磁気ヘッド装置Ａは、そのベース板１が、ヘッド素子を内蔵した回転ドラムＤなどが取り付けられているシャーシ１００の定位置に固定されていて、回転ドラムＤに巻き掛けられてローディングピンＰなどを経由した磁気テープＴが磁気ヘッド８の表面に接触して走行する。また、磁気テープ装置での磁気テープの走行路の高さは一定の高さに定まっているため、磁気ヘッド装置Ａの磁気ヘッド８の高さも磁気テープ走行路の高さに合わせて上記のように調整される。
【０００４】
　図５は従来の磁気ヘッド装置Ａの概略平面図、図６は磁気ヘッド装置Ａを図５のＶＩ方向から見た一部破断側面図である。これらの図において、５１は台板１の３箇所に形成されている貫通孔、１１はベース板１の３箇所に形成されて調整ビス９がねじ込まれているねじ孔である。この従来の磁気ヘッド装置Ａにおいて、ベース板１の上方で台板５を支持する弾性体には金属線でなるコイルばね７が用いられている。すなわち、ベース板１と台板５との間にそれらの対向方向に軸線方向を一致させたコイルばね７が介在されてベース板１と台板５とが間隔を隔てて配備されていて、磁気ヘッド８の高さが適正に調整されているときの調整ビス９の締付け荷重を受けて撓んだコイルばね７の弾性復帰力によって台板５が支持されている。
【０００５】
　磁気ヘッド装置の他の従来例として、台板から突出させた支持ポールの自由端部によって磁気ヘッドのホルダーを保持し、磁気ヘッドを搭載しているベース板の傾角調整を、支持ポールの自由端部を支点として複数本の調整ビスの締付け程度で調節するようにしたものがあり、そうすることによって台板を支えるばねが不要になるとされている（例えば、特許文献１参照）。
【０００６】
【特許文献１】特開２００１−９３１２３号公報
【考案の開示】
【考案が解決しようとする課題】
【０００７】
　しかしながら、図５又は図６で説明した従来の磁気ヘッド装置は、磁気ヘッド８を搭載した台板５やベース板１のほかに、金属線でなるコイルばね７が余分に必要になって部品コストが高くつくばかりでなく、コイルばね７を挟んでベース板１に調整ビス９を介して台板５を取り付けるという組立て工程が煩雑であって、組立てに熟練を必要とするという問題があった。
【０００８】
　一方、特許文献１によって開示されている従来例は、磁気ヘッドの高さ調整を行うものではなく、支持ポールの自由端部を支点としてベース板の傾角を調整するに過ぎないものであるため、この技術を、磁気ヘッドの高さ調整に利用することには困難があり、たとえ利用できたとしても、調整ビスの締付けに抗する弾発性を台板に付与するのにばね部材が余分に必要になる。
【０００９】
　本考案は以上の問題や状況に鑑みてなされたものであり、コイルばねのようなばね部材を余分に必要とせずに、台板に搭載した磁気ヘッドの高さ調整を図５又は図６で説明した従来例と同様の調整ビスの回転操作によって行うことのできる磁気ヘッド装置を提供することを目的とする。
【００１０】
　また、本考案は、必要な部品点数を削減することによって、組立て工程を簡略化し、併せて組立てにそれほどの熟練を必要としない磁気ヘッド装置を提供することを目的とする。
【課題を解決するための手段】
【００１１】
　本考案に係る磁気ヘッド装置は、ヘッド素子を内蔵した磁気ヘッドが、ベース板との間に間隔を隔てて弾性体を介して支持された台板に搭載されていて、その台板に開設された貫通孔に挿通されて上記ベース板の孔部にねじ込まれた調整ビスを回転させることによって上記磁気ヘッドの高さが調整される磁気ヘッド装置において、上記ベース板を合成樹脂成形体で形成すると共に、上記弾性体を、そのベース板に一体成形した樹脂ばねによって形成したものである。
【００１２】
　この考案によれば、調整ビスの締付けに抗する弾発性を台板に付与するための弾性体を、合成樹脂成形体でなるベース板と一体成形した樹脂ばねによって形成したので、コイルばねなどのばね部材が余分に必要になるということがなくなるだけでなく、樹脂ばねでなる弾性体を挟んでベース板に調整ビスを介して台板を取り付けるという組立て工程が簡単になり、組立てにそれほどの熟練を必要としなくなる。また、ベース板を合成樹脂成形体で形成したことにより、従来の板金製のベース板に比べてその製作コストが安く付く。
【００１３】
　本考案では、上記樹脂ばねが、上記ベース板に両端が連設された板ばね部とこの板ばね部から突出してその頂部で上記台板を支持する突起部とでなることが望ましく、その場合には、上記板ばね部が細長矩形に形成されてその長手方向両端が上記ベース板に連設されており、上記磁気ヘッドの高さが適正に調整されているときの上記調整ビスの締付け荷重を受けて撓んだ上記樹脂ばねの板ばね部の弾性復帰力によって上記突起部が上記台板に弾接してその台板を支持していることが望ましい。このように構成されていると、樹脂ばねの板ばね部によって満足できる弾性が発揮されるので、調整ビスの締付け程度を変えて板ばね部の撓み幅を調節することによって磁気ヘッドの高さ調整が可能になり、また、突起部の頂部で台板を支えるので、その突起部の頂部を支点として磁気ヘッドの傾角を調整することも可能になる。
【００１４】
　本考案では、上記調整ビスが、上記樹脂ばねの板ばね部の周囲の３箇所に配備されていて、それら３箇所の調整ビスによって囲まれる領域の中央部に上記突起部が配備されていることが望ましい。これによれば、３箇所の調整ビスの締付け程度を調節することによって板ばね部の撓み幅や台板の姿勢を変化させることができるので、磁気ヘッドの高さ調整や傾角調整を高精度に行うことが可能になる。
【００１５】
　本考案に係る磁気ヘッド装置は、次のように構成することによっていっそう具体化される。すなわち、ヘッド素子を内蔵した磁気ヘッドが、ベース板との間に間隔を隔てて弾性体を介して支持された台板に搭載されていて、その台板に開設された貫通孔に挿通されて上記ベース板の孔部にねじ込まれた調整ビスを回転させることによって上記磁気ヘッドの高さが調整される磁気ヘッド装置において、上記磁気ヘッドが、音声信号消去用ヘッド素子と、音声信号記録再生用ヘッド素子と、コントロール信号記録再生用ヘッド素子とを備えており、シャーシに取り付けられた上記ベース板が合成樹脂成形体で形成されている共に、上記弾性体が、そのベース板に一体成形した樹脂ばねによって形成され、この樹脂ばねが、上記ベース板に長手方向両端が連設された細長矩形の板ばね部とこの板ばね部の長手方向中央部から突出してその球面状の頂部で上記台板を支持する突起部とでなり、上記磁気ヘッドの高さが適正に調整されているときの上記調整ビスの締付け荷重を受けて撓んだ上記樹脂ばねの板ばね部の弾性復帰力によって上記突起部が上記台板に弾接してその台板を支持していると共に、上記調整ビスが、上記樹脂ばねの板ばね部の周囲の３箇所に配備されていて、それら３箇所の調整ビスによって囲まれる領域の中央部に上記突起部が配備されている、という構成を採用することによっていっそう具体化される。
【００１６】
　この考案によれば、記述した作用の他に、特に、突起部の頂部を球面状に形成し、そのような球面状の頂部で台板を支持するようにしているので、３箇所の調整ビスを回転させて磁気ヘッドの高さ調整を行った際に、台板の姿勢が傾いているとしても、台板の姿勢の如何にかかわらず、突起部によって台板が安定性よく支持されるという利点がある。その他の構成は実施形態を参照して詳細に説明する。
【考案の効果】
【００１７】
　以上のように、本考案によれば、ベース板と一体成形した樹脂ばねを、台板を支持する弾性体として用いているので、従来のようにばね部材を余分に必要とすることなく、台板に搭載した磁気ヘッドの高さ調整を調整ビスの回転操作によって行うことができるようになって磁気ヘッド装置を安価に提供することが可能になる。また、樹脂ばねがベース板と一体成形されているので、ベース板に調整ビスを用いて台板を取り付けるための組立て工程が簡略化され、併せて組立てにそれほどの熟練を必要としなくなるという効果が奏される。さらに、組立て後に台板を支持している弾性体としての樹脂ばねが位置ずれするおそれがなくなるという利点もあり、この利点を持っているために、磁気ヘッドによる磁気テープの信号処理、たとえば音声信号の消去記録再生やコントロール信号の記録再生の処理が安定し、磁気テープ装置での画像安定性や音声安定性が向上する。
【考案を実施するための最良の形態】
【００１８】
　図１は本考案の実施形態に係る磁気ヘッド装置Ａの概略平面図、図２は磁気ヘッド装置Ａを図１のＩＩ方向から見た一部破断側面図、図３はベース板１の斜視図である。
【００１９】
　この実施形態の磁気ヘッド装置Ａにおいて、ベース板１は合成樹脂成形体でなり、図３のように、略直角に連設された２つの辺部１２，１３を備えていて、一方側辺部の両端に円筒形のボス１４，１５が備わり、他方側辺部の端部にも円筒形のボス１６が備わっている。そして、このベース板１と一体に樹脂ばね３が成形されている。図例の樹脂ばね３は、上記の２つの辺部１２，１３の端部相互間に亘って形成されて長手方向両端が各辺部１２，１３に連設された細長矩形の板ばね部３１と、この板ばね部３１の長手方向中央部から垂直に突出されたポスト状の突起部３２とでなり、突起部３２の頂部３３は球面状に形作られている。また、上記した３つのボス１４，１５，１６は樹脂ばね３の板ばね部３１の周囲に点在されていて、それらのボス１４，１５，１６によって囲まれる領域の中央部に上記突起部３２が配備されている。そして、この樹脂ばね３が、台板５を支持する弾性体として利用される。
【００２０】
　台板５には、図５又は図６で説明したものと同様のものが転用されている。すなわち、この台板５は板金製であって、上記したベース板１の３つのボス１４，１５，１６に対応する箇所に貫通孔を有し、さらにその上面に磁気ヘッド８が搭載されている。そして、この磁気ヘッド８は、音声信号消去用ヘッド素子を内蔵する第１磁気ヘッドユニット８１と、音声信号記録再生用ヘッド素子及びコントロール信号記録再生用ヘッド素子を内蔵する第２磁気ヘッドユニット８２とを組み合わせて構成されている。
【００２１】
　ベース板１と台板５とは、台板５の３つの貫通孔のそれぞれに挿通した調整ビス９をベース板１の３つのボス１４，１５，１６のそれぞれの孔部１４ａ，１５ａ，１６ａに各別にねじ込むことによって連結されていると共に、そのようにしてベース板１と台板５とが連結されている状態では、樹脂ばね３の突起部３２の頂部３３に台板５が載架されてその台板５が樹脂ばね３によって支持されている。
【００２２】
　また、それらの調整ビス９を回転させてそれぞれのねじ込み量を調節することによって磁気ヘッド８の高さが適正に調整されているときには、調整ビスの締付け荷重を受けて図２のように樹脂ばね３の板ばね３１が下方へ撓んでおり、そのように撓んだ板ばね部３１の弾性復帰力によって突起部３２が台板５に弾接してその台板５を支持している。なお、図２には、無荷重状態での樹脂ばね３の板ばね部３１を仮想線で説明的に示してある。
【００２３】
　この磁気ヘッド装置Ａは、図４で説明したところと同様に、ベース板１が、ヘッド素子を内蔵した回転ドラムＤなどが取り付けられているシャーシ１００の定位置に固定されていて、回転ドラムＤに巻き掛けられてローディングピンＰなどを経由した磁気テープＴが磁気ヘッド８の表面に接触して走行する。また、磁気テープ装置での磁気テープの走行路の高さは一定の高さに定まっているため、磁気ヘッド装置Ａの磁気ヘッド８の高さも磁気テープ走行路の高さに合わせて上記のように調整される。
【００２４】
　この実施形態では、樹脂ばね３の板ばね部３１を、長さ約２０ｍｍ、幅約６ｍｍ、厚さ約１ｍｍとしてあり、突起部３２の高さは、磁気ヘッド８の高さが適正に調整されているときに、その突起部３２が台板５により押し下げられて板ばね３１の撓み幅が約０．５ｍｍになるように定められている。言い換えると、突起部３２の高さは、板ばね部３１が撓んでいない仮想線の高さに位置していると仮定した場合、その頂部３３が台板５の下面よりも約０．５ｍｍ程度上方へ突き出る高さに定められている。
【００２５】
　この実施形態によれば、樹脂ばね３が弾性体としての役割を担うので、磁気ヘッド装置Ａを、樹脂ばね３を一定成形した合成樹脂成形体でなるベース板１と、磁気ヘッド８を搭載した台板５とによって形成することができ、金属線でなるコイルばねなどのばね部材を余分に用いる必要がない。しかも、樹脂ばね３の上からベース板１に調整ビス９を介して台板５を取り付けるという組立て工程が簡単になり、組立てにそれほどの熟練を必要としなくなるだけでなく、樹脂ばね３を備えるベース板１を合成樹脂成形体で形成したことにより、従来の板金製のベース板に比べてその製作コストが安く付く。
【００２６】
　また、この実施形態のように、樹脂ばね３の板ばね部３１の周囲の３箇所に調整ビス９を配備し、それら３箇所の調整ビス９によって囲まれる領域の中央部に突起部３２を配備しておくと、３箇所の調整ビス９の締付け程度を調節することによって板ばね部３１の撓み幅や台板５の姿勢を変化させることができるので、磁気ヘッド８の高さ調整や傾角調整を高精度に行うことができる。さらに、突起部３２の頂部３３を球面状に形成して台板５を支持させているので、３箇所の調整ビス９を回転させて磁気ヘッド８の高さ調整を行った際に、台板５の姿勢が傾いているとしても、台板５の姿勢の如何にかかわらず、突起部３２によって台板５が安定性よく支持されるようになる。
【産業上の利用可能性】
【００２７】
　本考案に係る磁気ヘッド装置Ａは、磁気記録再生装置などの磁気テープ装置において、磁気テープの信号処理、たとえば音声信号の消去記録再生やコントロール信号の記録再生の処理に利用することができる。
【図面の簡単な説明】
【００２８】
【図１】本考案の実施形態に係る磁気ヘッド装置の概略平面図である。
【図２】図１の磁気ヘッド装置を図１のＩＩ方向から見た一部破断側面図である。
【図３】樹脂ばねを一体成形したベース板の斜視図である。
【図４】磁気ヘッド装置の使用例である磁気テープ装置の要部の概略平面図である。
【図５】従来の磁気ヘッド装置の概略平面図である。
【図６】図５の磁気ヘッド装置を図５のＶＩ方向から見た一部破断側面図である。
【符号の説明】
【００２９】
　Ｔ　磁気テープ
　１　ベース板
　３　樹脂ばね
　５　台板
　８　磁気ヘッド
　９　調整ビス
　１４ａ，１５ａ，１６ａ　孔部
　３１　板ばね部
　３２　突起部
　５１　貫通孔
　１００　シャーシ
【図１】
0003099278.tif 000003
【図２】
0003099278.tif 000004
【図３】
0003099278.tif 000005
【図４】
0003099278.tif 000006
【図５】
0003099278.tif 000007
【図６】
0003099278.tif 000008